(57)【特許請求の範囲】
【請求項１】
躯体の上に不透水下地層を形成し、当該不透水下地層の上に布製格子状枠体を布設し、かつ当該布製格子状枠体内に植栽下地材を充填してなる構造物の緑化構造において、前記布製格子状枠体は、樹脂を含浸しかつ積層された複数の布製帯状部材から形成され、当該布製帯状部材を縫い糸または縫い糸と接着材の両方によって長手方向に所定間隔おきに接合された接合部と、当該接合部間が前記布製帯状部材の軸直角方向に開いた伸展部からなる多数のセルを有し、かつ前記各セル内に植栽下地材を充填してなることを特徴とする構造物の緑化構造。
【請求項２】
躯体の上に不透水下地層を形成し、当該不透水下地層の上に布製格子状枠体を布設し、かつ当該布製格子状枠体内に植栽下地材を充填してなる構造物の緑化構造において、前記布製格子状枠体は所定間隔おきに配置された複数の布製帯状部材と隣接する各布製帯状部材間に配置され、両端が前記布製帯状部材に縫い糸または縫い糸と接着材の両方によって接合された複数の連結部材とからなる多数のセルを有して形成され、前記布製帯状部材は１０ｇ／ｍ2 〜５０ｇ／ｍ2 量の樹脂を含浸し、かつ前記各セル内に植栽下地材を充填してなることを特徴とする構造物の緑化構造。
【請求項３】
不透水下地層の上にシート、ペーパードレーンまたは波板からなる排水層が形成されてなることを特徴とする請求項１または２記載の構造物の緑化構造。
【請求項４】
不透水下地層の上に発泡板からなる断熱層が形成され、当該断熱層には上下方向に貫通する複数の排水用孔と誘水用溝が所定間隔おきに形成され、かつ下面側に複数の排水用溝が一方向または二方向に所定間隔おきに形成されてなることを特徴とする請求項１〜３のいずれかに記載の構造物の緑化構造。
【発明の詳細な説明】
【０００１】
【発明の属する技術分野】
この発明は構造物の緑化構造に関し、特に植栽下地の保水性と安定性に富み、例えば事務所ビル等のＲＣ構造物の屋上、傾斜屋根、ベランダ、アトリウムなどの緑化を容易におこなえるものとして開発されたものである。
【０００２】
【従来の技術】
近年の環境保全や自然嗜好の風潮にともなってＲＣ建物の屋上や壁面、さらにはＲＣ構造の擁壁や橋脚などといった土木構造物の壁面をも積極的に緑化することにより、自然的潤いのある景観を創出する試みがなされ、このようなＲＣ構造物の緑化は今後益々重要度を増しつつある。
【０００３】
特に、ＲＣ建物の屋上や壁面の緑化は、緑化によって建物自身の美観を高めるだけでなく、太陽熱による建物自体の温度上昇を抑え、いわゆる「ヒートアイランド現象」を抑制して省エネに大いに役立つだけでなく、近年の地中温暖化の抑止策としても、今後に大いに期待されている。
【０００４】
また、世界的規模で懸念されている、近年の地球温暖化の問題に対処すべく、建物の周囲だけでなく、建物自体をも一定面積以上緑化するように法的にも義務づけられつつある。
【０００５】
ところで、これまでビル等のＲＣ建物の屋上を広い範囲にわって緑化する方法としては、例えば図５に図示するように防水処理が施された屋上スラブ２０の上に下地用のマット２１を敷設し、その上に客土を所定の厚さに敷き詰めて植栽用下地２２とし、これに植栽する方法が一般に採用されていた。
【０００６】
【発明が解決しようとする課題】
しかし、植栽下地材２２に充分な保水性と排水性を持たせるには、植栽下地材２２を厚く敷き詰める必要があることから屋根重量が相当嵩み、このため新規建物の場合、植栽下地材２２の重量を加味して躯体の構造設計を行う必要があり、建設コストが大幅に嵩む等の課題があった。
【０００７】
また、既存建物の場合に至っては、屋根重量が嵩みすぎて必要な厚さに植栽下地２２を敷き詰めることができない等の課題があった。
【０００８】
また、たとえ植栽下地２２を必要な厚さに敷き詰めることができたとしても、このような目的で使用される植栽下地２２の保水性は一般に低く、このため、せっかく植え付けた植物も根付きが悪く、短期間のうちに枯れてしまうことが多い等の課題があった。
【０００９】
また、植栽下地２２が乾燥して風化しやすく、このため植物の植え替えや植栽下地２２の補充などに要するランニングコストが大幅に嵩むだけでなく、植栽下地２２の風化によって周辺環境を汚染し兼ねない等の課題があった。さらに、傾斜屋根に至っては、風雨で植栽下地材２２が流されてしまうことが多く、植栽下地材２２の安定性が劣る等の課題もあった。
【００１０】
この発明は以上の課題を解決するためになされたもので、特に植栽下地材の保水性、排水性、さらに安定性にすぐれ、ＲＣ建物の屋上などを容易に緑化できるようにした構造物の緑化構造を提供することを目的とする。
【００１１】
【課題を解決するための手段】
請求項１記載の構造物の緑化構造は、躯体の上に不透水下地層を形成し、当該不透水下地層の上に布製格子状枠体を布設し、かつ当該布製格子状枠体内に植栽下地材を充填してなる構造物の緑化構造において、前記布製格子状枠体は、樹脂を含浸しかつ積層された複数の布製帯状部材から形成され、当該布製帯状部材を縫い糸または縫い糸と接着材の両方によって長手方向に所定間隔おきに接合された接合部と、当該接合部間が前記布製帯状部材の軸直角方向に開いた伸展部からなる多数のセルを有し、かつ前記各セル内に植栽下地材を充填してなることを特徴とするものである。
【００１２】
この場合の不透水下地層としては、例えば防水シート等でよいが、ＲＣ構造の建物の場合、屋上スラブの上には通常アスファルト防水層が形成されているので、このアスファルト防水層を不透水下地層とすることができる。
また、布製格子状枠体を用いることで、布目に雨水などが吸水されることで保水性を持たせることができる。また、樹脂を含浸させた布製の帯状部材を複数、互いに交差することで植栽下地材を充填可能な、平面円形や矩形状をなすセルを多数形成するように配置して形成されたもの等を使用することができる。
【００１３】
植栽下地材としては、例えば客土、軽量骨材、ピートモス、腐食土、さらには間伐材などから形成された木くずやチップ、さらにはこれを発酵させたものを使用することができる。
布製格子状枠体の成形方法としては、例えば樹脂を含浸させた複数の布製帯状部材を例えば図２（ｂ）に図示するように積層するとともに、その長手方向に所定間隔おきに接着材またはホチキスなどで接着した後、図２（ａ）に図示するように帯状部材の軸直角方向に伸展する等して形成することができる。
【００１４】
この場合、帯状部材の軸直角方向に伸展することで、接着部分以外の部分が引っ張られて変形することにより、例えば図２（ａ）に図示するような平面六角形状のセルが多数形成される。このように樹脂を含浸させた不織布を用いて枠材を形成することで、この枠材は通常の剛性を与えられるので、形状保持性があり、かつ透水性を保持することができる。
【００１５】
したがって、例えば屋上などの緑化に際しては、布製格子状枠体は、布製帯状部材が図２（ｂ）に図示するように重ね合わせられたままの状態で屋上まで運び、屋上で大きく伸展して床の上に布設し、そして各セル内に植栽下地材を充填すればよいので、作業性がきわめてよい。
【００１６】
請求項２記載の構造物の緑化構造は、躯体の上に不透水下地層を形成し、当該不透水下地層の上に布製格子状枠体を布設し、かつ当該布製格子状枠体内に植栽下地材を充填してなる構造物の緑化構造において、前記布製格子状枠体は所定間隔おきに配置された複数の帯状部材と隣接する各布製帯状部材間に配置され、両端が前記布製帯状部材に縫い糸または縫い糸と接着材の両方によって接合された複数の連結部材とからなる多数のセルを有して形成され、前記布製帯状部材は１０ｇ／ｍ2 〜５０ｇ／ｍ2 量の樹脂を含浸し、かつ前記各セル内に植栽下地材を充填してなることを特徴とするものである。
【００１７】
請求項３記載の構造物の緑化構造は、請求項１または２記載の構造物の緑化構造において、不透水下地層の上にシート、ペーパードレーンまたは波板からなる排水層が形成されてなることを特徴とするものである。
【００１８】
請求項４記載の構造物の緑化構造は、請求項１〜３のいずれかに記載の構造物の緑化構造において、不透水下地層の上に発泡板からなる断熱層が形成され、当該断熱層には上下方向に貫通する複数の排水用孔と誘水用溝が所定間隔おきに形成され、かつ下面側に複数の排水用溝が一方向または二方向に所定間隔おきに形成されてなることを特徴とするものである。
【００１９】
この場合の断熱層は、主に太陽熱を遮断して構造物のヒートアイランド現象を抑制するためのもので、例えば発泡スチロール等の発泡材が軽量で、しかも加工しやすいため望ましい。また、この場合の排水層は、不透水下地層の上に断熱層が形成されている場合には断熱層の下側に形成するのがよく、また排水層としては布製のシート、例えば織布や不織布、ペーパードレーン、あるいは排水用の溝が一方向または二方向に多数形成された合成樹脂製の波板などでもよく、さらにはシンダー等の軽量骨材や砂などを所定の厚さに敷き詰めたものでもよい。
【００２６】
【発明の実施の形態】
図１〜図４は、この発明に係る構造物の緑化構造の一例を示し、図においてＲＣ構造物の屋上スラブ１の上に不透水下地層２が形成され、その上に排水層３が形成されている。
【００２７】
この場合の不透水下地層２は、通常屋上スラブ１の上に広く一般的に行われているアスファルト防水層であるが、他に防水シート等を敷設してもよい。なお、アスファルト防水層の場合、通常その上には図示するようにシンダーコンクリート等が押えコンクリート２ａとして所定の厚さに打設されている。
【００２８】
また、不透水下地層２の上に、図では押えコンクリート２ａの上に排水層４が形成され、この排水層４の上に断熱層５が形成されている。なお、排水層４は断熱層５の上にあってもよい。
【００２９】
さらに、断熱層５または排水層４の上に布製格子状枠体６が布設され、この布製格子状枠体６の各格子目ａ（以下「セルａ」という）内に植栽下地材７がそれぞれ充填され、そして植栽下地材７に芝生や灌木などが植栽されている。
【００３０】
排水層４は、織布や不織布などからなる布製のシートやペーパードレーン、あるいは排水用の溝が一方向または二方向に多数形成された耐腐食性の波板、例えば合成樹脂製の波板を多数敷設する等して形成されている。
【００３１】
断熱層５は、例えば発泡スチロール等から所定の厚さに成形された硬質性の発泡板を敷き詰めて形成され、その全体に複数の排水用孔５ａと誘水用溝５ｂが所定間隔おきにそれぞれ形成され、さらに断熱層５の下面側には複数の排水用溝５ｃが一方向または二方向に所定間隔おきに形成されている。
【００３２】
排水用孔５ａと誘水用溝５ｂはそれぞれ、上側から下側に貫通する小孔とスリットであって、このうち排水用孔５ａは集中豪雨などの際に植栽下地材７内に流れ込んだ余分な雨水を排水層４に速やかに排水することで、植栽の根腐れを防止する働きをするものである。
【００３３】
また、誘水用溝５ｂは夏期の降雨量のきわめて少ない時期に排水層４内の水を植栽下地材７内に毛細管現象によって吸い上げ、植栽下地材７に必要な灌水を行うことで、水不足による植栽の立ち枯れを防止する働きをするものである。
【００３４】
また、排水用溝５ｃは誘水溝５ｂと同様に断熱層５の全体にわたって所定間隔おきに格子状に形成され、さらに、必要に応じて排水層４内に灌水管８が縦横に布設されている。
【００３５】
布製格子状枠体６は、例えば図２（ｂ）に図示するように布などからなる所定幅、所定厚の帯状部材６ａを複数重ね合わるとともに、この帯状部材６ａどうしを縫い糸、または縫い糸と接着材の両方で所定間隔おきに接合し（以下、接合部分を「接合部６ｂ」という）、かつ帯状部材６ａの軸直角方向に伸展することにより接合部６ｂ，６ｂ間の伸展部６ｃが伸展方向に大きく開いて、例えば図２（ａ）に図示するような平面多角形、例えば平面六角形のセルａを多数有して形成されている。
【００３６】
この場合の接合部６ｂと伸展部６ｃには熱可塑性樹脂または熱硬化性樹脂（以下「含浸樹脂」という）が含浸され、特に接合部６ｂには充分な量の含浸樹脂が含浸され、かつ伸展部６ｃには１０ｇ／ｍ2 〜５０ｇ／ｍ2 量の含浸樹脂が含浸されている。このため、接合部６ｂは透水性は特にないものの、高い自立性と可撓性を有し、伸展部６ｃは自立性と可撓性を有し、さらに透水性をも有している。
【００３７】
なお、伸展部６ｃの含浸樹脂の含浸量が１０ｇ／ｍ2 未満だと剛性が小さく、充分な自立性を確保できず、また含浸樹脂の含浸量が５０ｇ／ｍ2 を超えると透水性が低く充分な排水機能が得られない。このため、含浸樹脂の含浸量が１０ｇ／ｍ2 〜５０ｇ／ｍ2 以内で自立性、可撓性、さらに透水性（ｋ＞10-1ｃｍ／ｓ）を有し、望ましい。
【００３８】
接合部６ｂと伸展部６ｃがそれぞれこのように形成されていることで、特に接合部６ｂが相当の剛性を有することで、各セルａ内に充填された植栽下地材７を転圧する際の衝撃にも充分耐えることができ、したがって転圧で各セルａの形状が変形するなどのおそれはなく、また植栽下地材７を長期にわたって保持でき、植栽下地材７の安定性がきわめて高い。
【００３９】
また、伸展部６ｃが透水性と保水性を有することで、たとえ一部のセルａ内の植栽下地材７に雨水が降り注いだとしても、伸展部６ｃから周囲の植栽下地材７に浸透するため、各セルａにそれぞれ充填された植栽下地材７に均等に灌水され、灌水にむらが生じる心配はない。
【００４０】
さらに、集中豪雨などの際に植栽下地材７内に流れ込んだ余分な雨水は、伸展部６ｃの働きによって断熱層５下の排水層４に速やかに排水されることで、植栽の根腐れを防止することができる。
【００４１】
また、夏期の降雨量のきわめて少ない時期には、伸展部６ｃの毛細管現象によって、断熱層５表層部の水を植栽下地材７内に吸い上げ、植栽下地材７内に灌水させることで、植栽の立ち枯れを防止するためのものである。
【００４２】
なお、この場合、断熱層５の上にも布製のシートやペーパードレーン等からなる排水層（図省略）が形成されていれば、植栽下地材７内に速やかに灌水させることができる。
【００４３】
図３（ａ）は、格子状枠体６の他の例を示し、複数の帯状部材６ａが平行にかつ所定間隔おきに配置され、この隣接する帯状部材６ａ，６ａ間に複数の連結部材６ｄが千鳥に配置され、かつ各連結部材６ｄの両端が帯状部材６ａに縫い糸、または縫い糸と接着材の両方でそれぞれ接合されていることで、平面矩形状のセルａを多数有して形成されている。
【００４４】
また、帯状部材６ａと各連結部材６ｄとの各接合部６ｂには充分な量の含浸樹脂が含浸され、それ以外の部分には１０ｇ／ｍ2 〜５０ｇ／ｍ2 量の含浸樹脂が含浸されている。
【００４５】
図３（ｂ）は、同じく格子状枠体６の他の例を示し、複数の帯状部材６ａが平行にかつ所定間隔おきに配置され、この帯状部材６ａ，６ａ間に複数の連結部材６ｄが同一延長線上に位置するように配置され、かつ各連結部材６ｄの両端が帯状部材６ａに縫い糸、または縫い糸と接着材の両方でそれぞれ接合されていることで、平面矩形状のセルａを多数有して形成されている。
【００４６】
また、帯状部材６ａと各連結部材６ｄとの各接合部６ｂには充分な量の含浸樹脂がそれぞれ含浸され、それ以外の部分には１０ｇ／ｍ2 〜５０ｇ／ｍ2 量の含浸樹脂が含浸されている。
【００４７】
植栽下地材７としては、例えば軽量骨材、人工軽量骨材、ピートモス、再生セラミック土壌などが使用されている。また、灌水管８の一端に給水管または貯水槽（いずれも図省略）が接続され、手動またはタイマー等によって自動的に植栽下地材７に灌水がなされるようになっている。なお、この場合の灌水管８としては、例えば麻布などの透水性の布からなるホースまたは孔が多数形成された塩ビ管などで形成されている。
【００４８】
また、排水層４として敷設される布製のシート、断熱層５として敷設される発泡板、さらに格子状枠体６は所定サイズのパネル状に形成されていれば、施工時には屋上スラブ１の上に単に順に重ねて設置するだけでよく、さらにこれらが当初から一体に組み付けられていれば、一度に設置できて施工の大幅な省力化が図れる。
【００４９】
なお、傾斜屋根や壁面の緑化に際しては、排水層４として敷設される布製のシート、断熱層５として敷設される発泡板、さらに格子状枠体６などをアンカーボルト等のアンカー部材によって躯体に固定すればよい。
【００５０】
【発明の効果】
この発明は以上説明したとおりであり、特に布製格子状枠体が一定の剛性（自立性）を有するので、植栽下地材の転圧で枠体が変形してしまうようなおそれはなく、セル内に植栽下地材を入念に転圧して充填することができ、また傾斜面の緑化でも各セル内に充填された植栽下地材を安定して保持することができる。
【００５１】
また、布製格子状枠体が保水性と透水性を有するので、雨天時などの際にたとえ一部にしか灌水されない場合でも、時間の経過とともに格子状枠体を通って全体の植栽下地材に均等に灌水される等の効果がある。
【図面の簡単な説明】
【図１】ＲＣ建物の屋上スラブの緑化構造の一例を示し、（ａ）はその一部破断斜視図、（ｂ）は一部縦断面図である。
【図２】（ａ）は伸展された布製格子状枠体の一部平面図、（ｂ）は伸展される前の布製格子状枠体の一部平面図、（ｃ）は断熱層の一部斜視図である。
【図３】（ａ），（ｂ）は伸展された格子状枠体の一部平面図である。
【図４】ＲＣ建物の屋上スラブの緑化構造の他の一例を示し、（ａ）はその一部破断斜視図、（ｂ）は一部縦断面図である。
【図５】従来のＲＣ建物の屋上スラブの緑化構造の一例を示す一部斜視図である。
【符号の説明】
１  屋上スラブ
２  不透水下地層
２ａ  押えコンクリート
４  排水層
５  断熱層
５ａ  排水用孔
５ｂ  誘水用溝
５ｃ  排水用溝
６  布製格子状枠体
６ａ  帯状部材
６ｂ  接合部
６ｃ  伸展部
６ｄ  連結部材
７  植栽下地材
８  灌水管
【図１】
0003669946.tif 000002
【図２】
0003669946.tif 000003
【図３】
0003669946.tif 000004
【図４】
0003669946.tif 000005
【図５】
0003669946.tif 000006